(57)【要約】  光ファイバ機器と、光ファイバ機器に設けられた引き回し領域とを有する光ファイバ装置が開示される。少なくとも９８本、少なくとも４３４本、少なくとも８６６本、少なくとも１１５２本の光ファイバが１‐Ｕ棚スペース毎に引き回し領域内で延びており、最大１０-12ビット誤り率及び最大０．７５ｄＢ減衰量が光ファイバにより送られるデュプレックス光信号毎に維持される。更に、引き回し領域は、光ファイバの１本又は２本以上が引き回し領域内に最大１つの曲げを作ると共に引き回し領域内において全体として水平に延びるよう構成されるのが良い。光ファイバの１本又は２本以上は、シンプレックス、デュプレックス又は多心光ファイバコネクタで成端されるのが良い。
2012530943.tif 000002
【特許請求の範囲】
【請求項１】
光ファイバ装置であって、
光ファイバ機器と、
前記光ファイバ機器に設けられた引き回し領域とを有し、少なくとも９８本の光ファイバが１‐Ｕ棚スペース毎に前記引き回し領域内で延びており、
最大１０-12ビット誤り率及び最大０．７５ｄＢ減衰量の少なくとも一方が前記光ファイバにより送られるデュプレックス光信号毎に維持される、光ファイバ装置。
【請求項２】
対をなす前記光ファイバが前記光ファイバ機器に接続されている、請求項１記載の光ファイバ装置。
【請求項３】
前記引き回し領域は、前記光ファイバの１本又は２本以上が前記引き回し領域内に最大１つの曲げを作ると共に前記引き回し領域内において全体として水平に延びるよう構成されている、請求項１記載の光ファイバ装置。
【請求項４】
前記光ファイバの１本又は２本以上は、シンプレックス又はデュプレックス光ファイバコネクタで成端されている、請求項１記載の光ファイバ装置。
【請求項５】
光ファイバ装置であって、
光ファイバ機器と、
前記光ファイバ機器に設けられた引き回し領域とを有し、
前記引き回し領域は、１‐Ｕスペースの少なくとも一部分を構成し、少なくとも４３４本の光ファイバが前記引き回し領域内で延びており、
最大１０-12ビット誤り率及び最大０．７５ｄＢ減衰量の少なくとも一方が前記光ファイバにより送られるデュプレックス光信号毎に維持される、光ファイバ装置。
【請求項６】
前記光ファイバの１本又は２本以上は、前記光ファイバ機器に接続されている、請求項５記載の光ファイバ装置。
【請求項７】
前記引き回し領域は、前記光ファイバの１本又は２本以上が前記引き回し領域内に最大１つの曲げを作ると共に前記引き回し領域内において全体として水平に延びるよう構成されている、請求項５記載の光ファイバ装置。
【請求項８】
前記光ファイバの１本又は２本以上は、多心コネクタで成端されている、請求項５記載の光ファイバ装置。
【請求項９】
前記多心コネクタは、１２心ＭＰＯ光ファイバコネクタである、請求項８記載の光ファイバ装置。
【請求項１０】
光ファイバ装置であって、
４ファイバ機器と、
前記光ファイバ機器に設けられた引き回し領域とを有し、
少なくとも８６６本の光ファイバ及び少なくとも１１５２本の光ファイバの一方が１‐Ｕ棚スペース毎に前記引き回し領域内で延びており、
最大１０-12ビット誤り率及び最大０．７５ｄＢ減衰量の少なくとも一方が前記光ファイバにより送られるデュプレックス光信号毎に維持される、光ファイバ装置。
【請求項１１】
前記光ファイバの１本又は２本以上は、前記光ファイバ機器に接続されている、請求項１０記載の光ファイバ装置。
【請求項１２】
前記引き回し領域は、前記光ファイバの１本又は２本以上が前記引き回し領域内に最大１つの曲げを作ると共に前記引き回し領域内において全体として水平に延びるよう構成されている、請求項１０記載の光ファイバ装置。
【請求項１３】
前記光ファイバの１本又は２本以上は、多心コネクタで成端されている、請求項１０記載の光ファイバ装置。
【請求項１４】
前記多心コネクタは、２４心ＭＰＯ光ファイバコネクタである、請求項１３記載の光ファイバ装置。
【請求項１５】
光ファイバ装置であって、
光ファイバ機器と、
前記光ファイバ機器に設けられた引き回し領域とを有し、
１本又は２本以上の光ファイバが前記引き回し領域内で延びて前記光ファイバ機器に接続されており、前記引き回し領域は、前記光ファイバの１本又は２本以上が前記引き回し領域内に最大１つの曲げを作ると共に前記引き回し領域内において全体として水平に延びるよう構成され、最大１０-12ビット誤り率及び最大０．７５ｄＢ減衰量の少なくとも一方が前記光ファイバにより送られるデュプレックス光信号毎に維持される、光ファイバ装置。
【請求項１６】
前記１‐Ｕは、高さが約１．７５インチ（４．４４５ｃｍ）に等しい、請求項１、５、１０又は１５記載の光ファイバ装置。
【請求項１７】
前記光ファイバの１本又は２本以上は、曲げ不敏感性光ファイバである、請求項１、５、１０又は１５記載の光ファイバ装置。
【請求項１８】
前記光ファイバ機器は、光ファイバ機器ラックを含む、請求項１、５、１０又は１５記載の光ファイバ装置。
【請求項１９】
前記光ファイバ機器は、光ファイバ機器ラック内に設けられている、請求項１、５、１０又は１５記載の光ファイバ装置。
【請求項２０】
前記光ファイバ機器は、モジュール及びパネルの少なくとも一方を含む、請求項１、５、１０又は１５記載の光ファイバ装置。
【発明の詳細な説明】
【技術分野】
【０００１】
本発明の技術は、光ファイバケーブルを管理すると共に接続する光ファイバ装置に関し、このような光ファイバ装置は、光ファイバ成端機器を含み、光ファイバ成端機器は、この光ファイバ成端機器から延びる光ファイバ引き回し領域内に高い光ファイバケーブル実装密度を提供する。
【０００２】
〔関連出願の説明〕
本願は、２００９年６月１９日に出願された米国特許仮出願第６１／２１８，８７８号の権益主張出願であり、この米国特許仮出願を参照により引用し、その記載内容全体を本明細書の一部とする。
【背景技術】
【０００３】
光ファイバの利点として、音声、映像及びデータ信号を低ノイズ動作で長距離にわたり極めて速いデータ率で送ることができるということが挙げられる。これら利点に鑑みて、光ファイバは、種々の用途にますます多く用いられており、このような用途としては、ブロードバンド音声、映像及びデータ伝送が挙げられる。光ファイバを採用した光ファイバネットワークが開発されると共に音声、映像及びデータ送信を私設ネットワークと公衆ネットワークの両方により加入者に提供するよう用いられている。これら光ファイバネットワークは、或る１つの接続点から別の接続点までの「ライブファイバ（live fiber）」を提供するよう光ファイバを互いに連係する分離接続点を有する場合が多い。この点に関し、光ファイバ接続機器（本明細書では簡単に「光ファイバ機器」という）が受動式光相互接続（インターコネクション）をサポートするようデータ配信センタに設置されている。
【発明の概要】
【発明が解決しようとする課題】
【０００４】
光ファイバ機器は、アプリケーションのニーズに基づいてカスタマイズされる。光ファイバ機器は、典型的には、組織化の目的で且つスペースの使用を最適化するよう機器ラック内に設けられたハウジング内に収納される。このような光ファイバ機器の一例は、光ファイバモジュールである。光ファイバモジュールは、一形式の光コネクタを別の形式の光コネクタに移行させると共に光ファイバケーブル接続部の極性を管理するよう設計されている。帯域幅に関する要求及び収益を生じさせる機会を増大させるためにデータセンタ中における接続部の数を多くする要望の高まりに起因して、所与のスペース内に多数の光ファイバ接続部を支持するようますます多くの光ファイバケーブルが光ファイバ機器相互間に引き回されている。
【課題を解決するための手段】
【０００５】
一実施形態では、光ファイバ機器に設けられた引き回し領域とを有する光ファイバ装置が開示される。少なくとも９８本の光ファイバが１‐Ｕ棚スペース毎に引き回し領域内で延びており、最大１０-12ビット誤り率及び最大０．７５ｄＢ減衰量が光ファイバにより送られるデュプレックス光信号毎に維持される。更に、引き回し領域は、光ファイバの１本又は２本以上が引き回し領域内に最大１つの曲げを作ると共に引き回し領域内において全体として水平に延びるよう構成されるのが良い。光ファイバは、シンプレックス又はデュプレックス光ファイバコネクタで成端されるのが良い。
【０００６】
別の実施形態は、光ファイバ機器及び光ファイバ機器に設けられた引き回し領域を有する光ファイバ装置を含む。少なくとも４３４本の光ファイバが１‐Ｕ棚スペース毎に引き回し領域内で延び、最大１０-12ビット誤り率及び０．７５ｄＢ減衰量が光ファイバにより送られるデュプレックス光信号毎に維持される。更に、引き回し領域は、光ファイバの１本又は２本以上が引き回し領域内に最大１つの曲げを作ると共に引き回し領域内において全体として水平に延びるよう構成されるのが良い。光ファイバは、１つ又は２つ以上の多心コネクタで成端されるのが良い。多心コネクタは、１２心ＭＰＯであるのが良い。
【０００７】
追加の特徴及び利点は、以下の詳細な説明に記載されており、一部は、この記載から当業者には容易に明らかになり又は以下の詳細な説明、特許請求の範囲並びに添付の図面を含む本明細書に記載された本発明を実施することによって認識される。
【０００８】
上述の概要説明と以下の詳細な説明の両方は、実施形態を提供しており、開示内容の性質及び特性を理解するための概観又は枠組を提供するようになっていることは理解されるべきである。添付の図面は、一層深い理解を提供するために組み込まれており、このような添付の図面は、本明細書に組み込まれてその一部をなしている。図面は、種々の実施形態を記載しており、詳細な説明と一緒になって、開示した技術的思想の原理及び作用を説明するのに役立つ。
【図面の簡単な説明】
【０００９】
【図１】一実施形態に従って所与の光ファイバ接続部密度及び帯域幅能力を提供するよう高密度光ファイバモジュールを支持した例示の１‐Ｕサイズシャーシが設置されている例示の光ファイバ機器ラックの正面斜視図である。
【図２】図１のシャーシの背面拡大斜視図であり、光ファイバモジュールが光ファイバ機器中に設置された光ファイバ機器トレー内に設けられている状態を示す図である。
【図３】図１のシャーシ内に設置されるよう構成された光ファイバモジュールが設けられている１つの光ファイバ機器トレーの正面斜視図である。
【図４】光ファイバモジュールが設置されていない状態における図３の光ファイバ機器トレーの拡大図である。
【図５】図３の光ファイバ機器トレーの拡大図であり、光ファイバモジュールが収納されている状態を示す図である。
【図６】図３の光ファイバ機器トレーの正面斜視図であり、光ファイバモジュールが収納されていない状態を示す図である。
【図７】光ファイバモジュールを支持した光ファイバ機器トレーの正面斜視図であり、１つの光ファイバ機器トレーが図１のシャーシから引き出されている状態を示す図である。
【図８】図１のシャーシ内に設けられていて、１つ又は２つ以上の光ファイバモジュールを支持することができる図６の光ファイバ機器トレーを受け入れるよう構成された例示のトレーガイドの左側斜視図である。
【図９Ａ】図３の光ファイバ機器トレーの各側に設けられていて、図８のトレーガイドによって図１のシャーシ内に受け入れられるよう構成された例示のトレーレールの斜視図である。
【図９Ｂ】それぞれ、図３の光ファイバ機器トレーの各側に設けられていて、図８のトレーガイドによって図１のシャーシ内に受け入れられるよう構成された例示のトレーレールの平面図である。
【図１０Ａ】図３の光ファイバ機器トレー内に設けることができる例示の光ファイバモジュールの正面右側斜視図である。
【図１０Ｂ】ぞれぞれ、図３の光ファイバ機器トレー内に設けることができる例示の光ファイバモジュールの正面左側斜視図である。
【図１１】図１０Ａ及び図１０Ｂの光ファイバモジュールの分解組立て斜視図である。
【図１２】図１１の光ファイバモジュールの平面斜視図であり、カバーが取り外されて、光ファイバモジュール内に収納された光ファイバハーネスを示す図である。
【図１３】光ファイバコンポーネントが収納されていない状態の図１１の光ファイバモジュールの正面図である。
【図１４】１２心ＭＰＯ光ファイバコンポーネントを支持すると共に図３の光ファイバ機器トレー内に収納可能な別の変形例としての光ファイバモジュールの正面右側斜視図である。
【図１５】２４心ＭＰＯ光ファイバコンポーネントを支持すると共に図３の光ファイバ機器トレー内に収納可能な別の変形例としての光ファイバモジュールの正面右側斜視図である。
【図１６】図３の光ファイバ機器トレー内に収納されている変形例としての光ファイバモジュールの正面斜視図である。
【図１７】図１６の光ファイバモジュールの正面右側斜視図である。
【図１８】図１６及び図１７の光ファイバモジュールの正面図である。
【図１９】図３の光ファイバ機器トレー内に収納されている別の例示の光ファイバモジュールの正面斜視図である。
【図２０】図１９の光ファイバモジュールの正面右側斜視図である。
【図２１】図１９及び図２０の光ファイバモジュールの正面図である。
【図２２】図１のシャーシ内に収納可能な変形例としての光ファイバ機器トレー内に収納されている別の変形例としての光ファイバモジュールの正面斜視図である。
【図２３】図２２の光ファイバモジュールの正面右側斜視図である。
【図２４】図２２及び図２３の光ファイバモジュールの正面図である。
【図２５】開示する光ファイバ機器トレー及び光ファイバモジュールに従って光ファイバ機器トレー及び光ファイバモジュールを支持することができる変形例としての例示の４‐Ｕサイズ光ファイバシャーシの正面斜視図である。
【図２６】光ファイバ機器ラック内の例示の１‐Ｕスペースユニットの正面斜視図であり、一実施形態としての光ファイバケーブル引き回し領域を示す図、
【図２７】図２６の光ファイバケーブル引き回し領域の正面斜視図であり、光ファイバケーブル引き回し領域内の小刻みな断面切断部を通過する光ファイバを示す図である。
【発明を実施するための形態】
【００１０】
次に、或る特定の実施形態を詳細に参照し、これら実施形態の例が添付の図面に示されており、添付の図面には、全てではないが幾つかの特徴が示されている。確かに、本明細書において開示する実施形態は、多種多様な形態で具体化できるので、本発明は、本明細書に記載した実施形態に限定されるものとは解されてはならず、これとは異なり、これら実施形態は、この開示内容が該当する法的要件を満足させるよう提供されている。可能な場合にはいつでも、同一の参照符号は、同一のコンポーネント又は部分を示すために用いられる。
【００１１】
詳細な説明において開示される実施形態は、高密度光ファイバモジュール及び光ファイバモジュールハウジング並びに関連機器を含む。或る特定の実施形態では、光ファイバモジュール及び／又は光ファイバモジュールハウジングの前側側部開口部の幅及び／又は高さは、幅及び／又は高さに対するそれぞれ、光ファイバコンポーネント及び接続部を支持する光ファイバモジュール及び光ファイバモジュールハウジングの本体の前側側部の設計された関係に従って提供できる。このようにすると、光ファイバコンポーネントを光ファイバモジュールの前側側部の所与の割合分又は領域中に設置して所与の光ファイバコンポーネントタイプについて高密度の光ファイバ接続部を提供することができる。別の実施形態では、光ファイバモジュール及び／又は光ファイバモジュールハウジングの前側側部開口部は、光ファイバモジュール及び／又は光ファイバモジュールハウジングの前側側部開口部の幅及び／又は高さが所与の場合、光ファイバコンポーネント又は接続部の設計された接続部密度をサポートするよう提供できる。以下詳細な説明において開示する実施形態は又、高接続部密度及び高帯域幅光ファイバ装置及び関連機器を含む。或る特定の実施形態では、光ファイバ装置が提供され、このような光ファイバ装置は、１つ又は２つ以上のＵスペース光ファイバ機器ユニットを定めるシャーシを有し、１つ又は２つ以上のＵスペース光ファイバ機器ユニットの少なくとも１つは、光ファイバコンポーネントタイプが所与の場合、１‐Ｕスペース内に所与の光ファイバ接続部密度又は帯域幅をサポートするよう構成される。
【００１２】
詳細な説明において開示される実施形態は、光ファイバ機器ラックを有する光ファイバ装置を更に含む。光ファイバ機器ラックは、少なくとも１つの１‐Ｕスペース光ファイバ機器ユニットを定める。１‐Ｕスペース光ファイバ機器ユニットは、１本又は２本以上の光ファイバを収容した１本又は２本以上の光ファイバケーブルが少なくとも１つのＬＣデュプレックス又はシンプレックス１２心ＭＰＯ又は２４心ＭＰＯ光ファイバコネクタを通って接続された光ファイバ機器を保持するよう構成されている。ケーブル引き回し領域が少なくとも１つの１‐Ｕスペース光ファイバ機器ユニットから延びており、光ファイバは、光ファイバ引き回し領域の少なくとも一部分内で引き回され、光ファイバは、ケーブル引き回し領域内においてＴＩＡ／ＥＩＡ‐５６８規格に記載されているように１０-12ビット誤り率及び０．７５ｄＢの減衰量限度を維持する。ケーブル引き回し領域は、１本又は２本以上の光ファイバケーブルがケーブル引き回し領域内で光ファイバコネクタから１回だけ曲げ（ベンド）を作り、そしてケーブル引き回し領域を通って全体として水平に延びるよう構成されている。
【００１３】
さらに、本明細書において用いられる「光ファイバケーブル」及び／又は「光ファイバ」という用語は、全ての形式のシングルモード及びマルチモード導波路を含み、このような導波路としては、裸光ファイバ、ルーブチューブ型光ファイバ、タイトバッファード型光ファイバ、リボン型光ファイバ、曲げ不敏感性光ファイバ又は光信号を伝送するための媒体の任意他の手段が挙げられる。
【００１４】
この点に関し、図１は、例示の１‐Ｕサイズ光ファイバ機器１０を正面斜視図で示している。光ファイバ機器１０は、以下に詳細に説明するように、１‐Ｕスペース内に高光ファイバ接続部密度及び帯域幅をサポートする高密度光ファイバモジュールを支持している。光ファイバ機器１０は、ケーブル間光ファイバ接続部をサポートすると共に複数個の光ファイバケーブル接続部を管理するデータ配信センタ又は中央局に設けられるのが良い。以下に詳細に説明するように、光ファイバ機器１０は、各々が１つ又は２つ以上の光ファイバモジュールを支持する１つ又は２つ以上の光ファイバ機器トレーを有する。しかしながら、光ファイバ機器１０は又、光ファイバコンポーネントを支持すると共に光ファイバ接続性をサポートする１つ又は２つ以上の光ファイバパッチパネル又は他の光ファイバ機器を支持するようになっていても良い。
【００１５】
光ファイバ機器１０は、光ファイバ機器シャーシ１２（以下、「シャーシ１２」という）を有する。シャーシ１２は、光ファイバ機器ラック１４内に収納された状態で示されている。光ファイバ機器ラック１４は、垂直に延びると共に光ファイバ機器ラック１４内へのシャーシ１２の取り付けを容易にするための一連の孔１８を有する２本の垂直レール１６Ａ，１６Ｂを有する。シャーシ１２は、垂直レール１６Ａ，１６Ｂ内に互いに上下に積み重ねられた棚の形態をしている光ファイバ機器ラック１４により取り付けられると共に支持されている。図示のように、シャーシ１２は、垂直レール１６Ａ，１６Ｂに取り付けられている。光ファイバ機器ラック１４は、１‐Ｕサイズの棚を支持するのが良く、“Ｕ”は、高さが標準の１．７５インチ（４．４４５ｃｍ）及び幅が標準の１９インチ（４８．２６ｃｍ）に等しい。或る特定の用途では、“Ｕ”の幅は、２３インチ（５８．４２ｃｍ）であるのが良い。また、「光ファイバ機器ラック１４」という用語は、キャビネットである構造体をも含むものとして理解されるべきである。この実施形態では、シャーシ１２は、サイズが１‐Ｕであるが、シャーシ１２は、１‐Ｕを超えるサイズで提供されても良い。
【００１６】
以下に詳細に説明するように、光ファイバ機器１０は、各々が１つ又は２つ以上の光ファイバモジュール２２を支持した複数個の伸長可能な光ファイバ機器トレー２２を有する。シャーシ１２及び光ファイバ機器トレー２０は、１‐Ｕスペースを含む所与のスペース内に高密度光ファイバモジュールである光ファイバモジュール２２及び光ファイバ接続部密度及び帯域幅接続部を支持している。図１は、光ファイバモジュール２２内に設けられていて、光ファイバ接続部を支持した例示の光ファイバコンポーネント２３を示している。例えば、光ファイバコンポーネント２３は、光ファイバアダプタ又は光ファイバコネクタであるのが良い。また、以下に詳細に説明するように、光ファイバモジュール２２は、この実施形態では、光ファイバコンポーネント２３を一例として光ファイバモジュール２２の前側側部又は前側フェースの幅の少なくとも８５％にわたって設けることができるよう提供されるのが良い。この光ファイバモジュール２２の構成は、約９０ミリメートル（ｍｍ）以下の前側開口部を提供することができ、この場合、光ファイバコンポーネントを前側開口部を貫通して且つシンプレックス又はデュプレックス光ファイバコンポーネント２３に関し、光ファイバモジュール２２の前側開口部の幅の７．０ｍｍ毎に少なくとも１つの光ファイバ接続部という光ファイバ接続部密度で設けることができる。この例では、各光ファイバモジュール２２内に６個のデュプレックス光ファイバコンポーネント又は１２個のシンプレックス光ファイバコンポーネントを収納することができる。光ファイバ機器トレー２０は、この実施形態では、１‐Ｕスペースのおおよその幅の中に最高４個までの光ファイバモジュールを支持すると共に１‐Ｕスペース内に全部で１２個の光ファイバモジュール２２に関し１‐Ｕスペースの高さ内に３つの光ファイバ機器トレー２０を支持する。例えば、６個のデュプレックス光ファイバコンポーネントが図１に示されているようにシャーシ１２の光ファイバ機器トレー２０内に収納された１２個の光ファイバモジュール２２の各々の中に設けられた場合、全部で１４４個の光ファイバ接続部又は７２個のデュプレックスチャネル（即ち、送信及び受信チャネル）が１‐Ｕスペース内にシャーシ１２で支持される。５つのデュプレックス光ファイバアダプタがシャーシ１２の光ファイバ機器トレー２０内に収納された１２個の光ファイバモジュール２２の各々内に設けられる場合、全部で１２０個の光ファイバ接続又は６０個のデュプレックスチャネルが１‐Ｕスペース内にシャーシ１２で支持される。シャーシ１２は又、１‐Ｕスペース内に少なくとも９８個の光ファイバコンポーネントを支持し、この場合、光ファイバコンポーネントの少なくとも１つは、シンプレックス又はデュプレックス光ファイバコンポーネントである。
【００１７】
多心光ファイバコンポーネント、例えばＭＰＯコンポーネントが光ファイバモジュール２２内に収納された場合、同様な光ファイバコンポーネントを用いた他のシャーシ１２と比較して高い光ファイバ接続部密度及び帯域幅が可能である。例えば、各光ファイバモジュール２２内に最高４個までの１２心ＭＰＯ光ファイバコンポーネントが設けられると共に１‐Ｕスペース内でシャーシ１２内に１２個の光ファイバモジュール２２が設けられた場合、シャーシ１２は、１‐Ｕスペース内に最高５７６個までの光ファイバ接続部を支持する。最高４個までの２４心ＭＰＯ光ファイバコンポーネントが各光ファイバモジュール２２内に設けられると共に１２個の光ファイバモジュール２２がシャーシ１２内に設けられた場合、１‐Ｕスペース内に最高１１５２個までの光ファイバ接続部が支持される。
【００１８】
図２は、図１のシャーシ１２の背面拡大斜視図であり、光ファイバモジュール２２に光ファイバコンポーネント２３が装填されると共に光ファイバモジュール２２がシャーシ１２内に収納された光ファイバ機器トレー２０内に設けられている。モジュールレール２８Ａ，２８Ｂが各光ファイバモジュール２２の各側に設けられている。モジュールレール２８Ａ，２８Ｂは、図３〜図５に詳細に示されているように、光ファイバ機器トレー２０内に設けられたモジュールレールガイド３２のトレーチャネル又は溝形材３０内に挿入されるよう構成されている。任意の数のモジュールレールガイド３２を設けることができることに留意されたい。この実施形態では、光ファイバモジュール２２を光ファイバ機器トレー２０の前側端部３４と後側端部３６の両方から収納可能である。光ファイバモジュール２２を後側端部３６から光ファイバ機器トレー２０内に収納することが望ましい場合、光ファイバモジュール２２の前側端部３３を光ファイバ機器トレー２０の後側端部３６から挿入するのが良い。詳細に説明すると、光ファイバモジュール２２の前側端部３３をモジュールレールガイド３２のトレーチャネル３０内に挿入する。次に、光ファイバモジュール２２を光ファイバモジュール２２がモジュールレールガイド３２の前側端部３４に達するまでトレーチャネル３０内で前方に押すのが良い。光ファイバモジュール２２を光ファイバモジュール２２が本明細書において後で説明するように、前側端部３４に設けられた停止又はロック（係止）特徴部に達するまで前側端部３４に向かって動かすのが良い。図６は又、光ファイバ機器トレー２０のトレーチャネル３０及び他の特徴部を示すために光ファイバモジュール２２が収納されない状態の光ファイバ機器トレー２０を示している。
【００１９】
光ファイバモジュール２２を光ファイバ機器トレー２０の前側端部３３まで前方に押すことにより光ファイバモジュール２２を光ファイバ機器トレー２０内の定位置にロックすることができる。前側停止部３８の形態をしたロック特徴部が図３に示されているように且つ図４において拡大図で詳細に説明されているようにモジュールレールガイド３２に設けられている。前側停止部３８は、光ファイバモジュール２２が図５では光ファイバモジュール２２が収納された状態の光ファイバ機器トレー２０の拡大図に示されているように、前側端部３４を越えて延びるのを阻止する。光ファイバモジュール２２を光ファイバ機器トレー２０から取り出すことが望ましい場合、これ又モジュールレールガイド３２に設けられると共に前側停止部３８に結合された前側モジュールタブ４０をこれが前側停止部３８に係合するよう下方に押すのが良い。その結果、前側停止部３８は、光ファイバモジュール２２から遠ざかって外方に動き、その結果、光ファイバモジュール２２が前方に引かれるのが妨害されないようになる。光ファイバモジュール２２及び特にそのモジュールレール２８Ａ，２８Ｂ（図２）をモジュールレールガイド３２に沿って前方に引っ張ると、光ファイバモジュール２２を光ファイバ機器トレー２０から取り出すことができる。
【００２０】
光ファイバモジュール２２を光ファイバ機器トレー２０の後側端部３６から取り出すことも可能である。光ファイバモジュール２２を光ファイバ機器トレー２０の後側端部３６から取り出すため、レバー４６（図２及び図３参照、又図１０Ａ及び図１０Ｂ参照）を光ファイバモジュール２２に向かって内方に押すことによってラッチ４４を外し、それによりラッチ４４がモジュールレールガイド３２から解除される。レバー４６を光ファイバモジュール２２に向かって内方に押しやすくするため、フィンガフック又は指掛け４８がレバー４６に隣接して設けられており、その結果、レバー４６を親指及び人差し指でフィンガフック４８中に容易に押し込むことができるようになっている。
【００２１】
引き続き図３〜図６を参照すると、光ファイバ機器トレー２０は、延長部材５０を更に有するのが良い。光ファイバモジュール２２（図３）内に設けられた光ファイバコンポーネント２３に接続されている光ファイバ又は光ファイバケーブルの引き回しを可能にするために好都合には引き回しガイド３２が延長部材５０に設けられるのが良い。光ファイバ機器トレー２０の端部に設けられている引き回しガイド５２′は、光ファイバ機器トレー２０の側部に対して角度をなして光ファイバ又は光ファイバケーブルを引き回すためにモジュールレールガイド３２に対して角度をなすのが良い。引きタブ３４も又、光ファイバ機器トレー２０をシャーシ１２から容易に引き出したりこの中に押しんだりすることができるようにする手段となるよう延長部材５０に連結されるのが良い。
【００２２】
図３及び図６に示されているように、光ファイバ機器トレー２０は、トレーレール５６を更に有する。トレーレール５６は、光ファイバ機器トレー２０を保持してこれが図７に示されているようにシャーシ１２に出入りすることができるようにするためにシャーシ１２内に設けられているトレーガイド５８内に受け入れられるよう構成されている。トレーレール５６及びシャーシ１２内におけるトレーガイド３８へのこれらの結合に関する詳細を図８並びに図９Ａ及び図９Ｂを参照して以下に説明する。光ファイバ機器トレー２０をこれらのトレーレール５６がトレーガイド５８内で動くことによりシャーシ１２に出入りさせることができる。このように、光ファイバトレー機器２０は、シャーシ１２内のトレーガイド５８回りに別個独立に動くことができる。図７は、シャーシ１２内のトレーガイド５８内に設けられている３つの光ファイバ機器トレー２０の１つの光ファイバ機器トレー２０がシャーシ１２から引き出されている状態を示す正面斜視図である。トレーガイド５８は、光ファイバ機器トレー２０の左側端部６０と右側端部６２の両方に設けられるのが良い。トレーガイド５８は、シャーシ１２内に受け入れられた光ファイバ機器トレー２０のトレーレール５６のための相補トレーガイド５８を提供するようシャーシ１２内で反対側に且つ互いに向かい合って収納されている。特定の光ファイバ機器トレー２０及び／又は光ファイバ機器トレー２０内の特定の光ファイバモジュール２２に接近することが望ましい場合、所望の光ファイバ機器トレー２０の引きタブ５４を前方に引っ張って光ファイバ機器トレー２０が図７に示されているようにシャーシ１２から前方に延び出ることができるようにする。光ファイバモジュール２２を上述したように光ファイバ機器トレー２０から取り出すことができる。接近が完了すると、光ファイバ機器トレー２０をシャーシ１２内に押し戻すのが良く、トレーレール５６は、シャーシ１２内に設けられているトレーガイド５８内で動く。
【００２３】
図８は、図１のシャーシ１２内に設けられている例示のトレーガイド５８の左側斜視図である。上述したように、トレーガイド５８は、シャーシ１２内に１つ又は２つ以上の光ファイバモジュール２２を支持した光ファイバ機器トレー２０を受け入れるよう構成されている。トレーガイド５８により、光ファイバ機器トレー２０を図７に示されているようにシャーシ１２から引き出すことができる。トレーガイド５８は、この実施形態では、ガイドパネル６４で構成されている。ガイドパネル６４は、所望の任意の材料で構成でき、このような材料としては、ポリマー又は金属が挙げられるが、これらには限定されない。ガイドパネル６４は、図８に示されているようにシャーシ１２へのガイドパネル６４の取り付けを容易にする一連の孔６６を有している。ガイド部材６８がガイドパネル６４の内側に設けられており、これらガイド部材は、光ファイバ機器トレー２０のトレーレール５６を受け入れるよう構成されている。図８の実施形態では、３つのガイド部材６８が１‐Ｕスペース内に３つの光ファイバ機器トレー２０の最高３つまでのトレーレール５６を受け入れることができるようガイドパネル６４の内側に設けられている。しかしながら、１‐Ｕスペースよりも小さい又は大きいサイズをカバーするよう所望の任意の数のガイド部材６８をトレーガイド５８内に設けることができる。この実施形態では、ガイド部材６８は各々、トレーレール５６を受け入れるよう構成されたガイドチャネル又は案内溝形材７０を有し、これらガイドチャネル７０により、トレーレール５６は、シャーシ１２回りの光ファイバ機器トレー２０の並進を可能にするようガイドチャネル７０に沿って動くことができる。
【００２４】
板ばね７２がトレーガイド５８のガイド部材６８の各々に設けられており、これら板ばねは各々、ガイド部材６８内での光ファイバ機器トレー２０の運動中、トレーレール５６のための停止位置を提供するよう構成されている。板ばね７２は各々、停止又は休止位置を提供するようトレーレール５６に設けられている突起７６（図９Ａ〜図９Ｄ参照）を受け入れるよう構成された戻止め７４を有する。トレーレール５６は、トレーレール５６を光ファイバ機器トレー２０に取り付けるために用いられる取り付けプラットホーム７５を有する。光ファイバ機器トレー２０がシャーシ１２に出入りする際に停止位置を有することができるようにするためにトレーガイド５６中に停止位置を提供することが望ましい場合がある。トレーレール５６に設けられた２つの突起７６が任意所与の時点でトレーガイド５８に設けられている２つの戻止め７４内に収納される。光ファイバ機器トレー２０が第１の停止位置でシャーシ１２内に完全に引っ込められると、トレーレール５６の２つの突起７６は、ガイドチャネル７０の後側端部７７に隣接して位置する１つの戻止め７４及びガイドチャネル７０の後側端部７７と前側端部７８との間に設けられている中間戻止め７４内に収納される。光ファイバ機器トレー２０をシャーシ１２から引き出すと、トレーレール５６の２つの突起７６は、ガイドチャネル７０の前側端部７８に隣接して位置する１つの戻止め７４及びガイドチャネル７０の後側端部７７と前側端部７８との間に設けられている中間戻止め７４内に収納される。
【００２５】
トレーレール５６をガイドチャネル７０内で引っ張ると、トレーレール５６に設けられていて、図９Ａ及び図９Ｂに示されている突起８０が図８に示されているように板ばね７２相互間に設けられている移行部材８２を乗り越えるよう付勢される。突起８０は、図９Ａ及び図９Ｂに示されているように、トレーレール５６に設けられている板ばね８１に設けられている。移行部材８２は、光ファイバ機器トレー２０がガイドチャネル７０と一緒に並進されているとき、突起８０が移行部材８２を乗り越えることができるようにする傾斜面８４を有する。突起８０が移行部材８２を有しているので、突起８０に加えられた力により、板ばね８１は、内方に曲がって突起８０が移行部材８２を乗り越えることができるよう内方に曲がる。トレーレール５６及び光ファイバ機器トレー２０がガイドチャネル７０の前側端部７８及び後側端部７７を越えて伸長されるのを阻止するため、ガイドチャネル７０の前側端部７８及び後側端部７７に停止部材８６が設けられている。停止部材８６は、傾斜面を備えておらず、トレーレール５６の突起８０は、停止部材８６に当接し、停止部材８６を越えてガイドチャネル７０の前側端部７８の外側に延びるのが阻止される。
【００２６】
１‐Ｕシャーシ１２並びに光ファイバ機器トレー２０及びこの中に収納できる光ファイバモジュール２２の上述の実施形態の知識を踏まえたうえで、次に、光ファイバモジュール２２の形状因子について説明する。光ファイバモジュール２２の形状因子により、高密度の光ファイバコンポーネント２３を光ファイバモジュール２２の前側の或る特定の割合の領域内に設けることができ、所与の形式の光ファイバコンポーネント２３について特定の光ファイバ接続部密度及び帯域幅がサポートされる。この光ファイバモジュール２２の形状因子を１‐Ｕスペース内に最高１２個までの光ファイバモジュール２２を支持することができることと組み合わせると、上述の例示のシャーシ１２により説明したように、高い光ファイバ接続部密度及び帯域幅がサポートされると共に可能である。
【００２７】
この関係で、図１０Ａ及び図１０Ｂは、例示の光ファイバモジュール２２の右側及び左側斜視図である。上述したように、シャーシ１２内に光ファイバ接続部を提供するために光ファイバモジュール２２を光ファイバ機器トレー２０内に収納するのが良い。光ファイバモジュール２２は、カバー９２を受け入れる本体９０で構成されている。内部チャンバ９４（図１１）が本体９０及びカバー９２内に設けられ、この内部チャンバは、以下に詳細に説明するように、光ファイバ又は光ファイバケーブルハーネスを受け入れ又は保持するよう構成されている。本体９０は、本体９０の前側側部９６と後側側部９８との間に位置している。光ファイバコンポーネント２３を本体９０の前側側部９６を貫通して設けることができ、このような光ファイバコンポーネントは、光ファイバケーブル（図示せず）に接続された光ファイバコネクタを受け入れるよう構成される。この例では、光ファイバコンポーネント２３は、デュプレックスＬＣ光ファイバコネクタとの接続部を受け入れると共に支持するよう構成されたデュプレックスＬＣ光ファイバアダプタである。しかしながら、光ファイバモジュール２２内に所望の任意形式の光ファイバ接続部を設けることができる。光ファイバコンポーネント２３は、本体９０の後側側部９８を貫通して設けられた光ファイバコンポーネント１００に接続されている。このように、光ファイバコンポーネント２３への接続部により、光ファイバコンポーネント１００への光ファイバ接続部が作られる。この例では、光ファイバコンポーネント１００は、多数本の光ファイバ（例えば、１２本か２４本かのいずれかの光ファイバ）への接続部を定めるよう構成された多心ＭＰＯ光ファイバアダプタである。光ファイバモジュール２２は又、光ファイバコンポーネント２３，１００相互間の極性を管理することができる。
【００２８】
モジュールレール２８Ａ，２８Ｂは、光ファイバモジュール２２の各側部１０２Ａ，１０２Ｂに設けられている。上述したように、モジュールレール２８Ａ，２８Ｂは、図３に示されているように光ファイバ機器トレー２０内のモジュールレールガイド３２内に挿入されるよう構成されている。このようにすると、光ファイバモジュール２２を光ファイバ機器トレー２０内に収納することが望ましい場合、光ファイバモジュール２２の前側側部９６を上述したように光ファイバ機器トレーの前側端部３３か後側端部３６かのどちらからでも挿入することができる。
【００２９】
図１１は、光ファイバモジュール２２の内部チャンバ９４及び他の内部コンポーネントを示すために光ファイバモジュール２２のカバー９２が取り外された状態の光ファイバモジュール２２の分解組立て図である。図１２は、組み立て状態の光ファイバモジュール２２を示しているが、カバー９２は、本体９０に取り付けられていない。カバー９２は、カバー９２を本体９０に固定するようカバー９２を本体９０に取り付けると、光ファイバモジュール２２の本体９０の側部１０２Ａ，１０２Ｂに設けられている突起１１２とインターロックするよう構成された、側部１０８，１１０に設けられている切欠き１０６を有している。カバー９２も又、カバー９２の前側側部１１８及び後側側部１２０にそれぞれ設けられた切欠き１１４，１１６を有している。切欠き１１４，１１６は、これ又カバー９２を本体９０に固定するようカバー９２を本体９０に取り付けると、本体９０の前側側部９６及び後側側部９８にそれぞれ設けられた突起１２２，１２４とインターロックするよう構成されている。図１２は、突起１２２，１２４を示していない。
【００３０】
引き続き図１１を参照すると、光ファイバコンポーネント２３は、本体９０の前側側部９６に長手方向軸線Ｌ1に沿って設けられた前側開口部１２６を貫通して設けられている。この実施形態では、光ファイバコンポーネント２３は、シンプレックス又はデュプレックス光ファイバ接続部及びコネクタを支持したデュプレックスＬＣアダプタ１２８である。この実施形態におけるデュプレックスＬＣアダプタ１２８は、この実施形態ではデュプレックスＬＣアダプタ１２８を本体９０内に固定するよう本体９０に設けられているオリフィス１３５とこれと嵌まり合うよう構成された突起１３０を有する。ケーブルハーネス１３４が内部チャンバ９４内に設けられており、光ファイバコネクタ１３６，１３８がデュプレックスＬＣアダプタ１２８に接続された光ファイバ１３９の各端部及び本体９０の後側側部９８内に設けられた光ファイバコンポーネント１００に設けられている。この実施形態における光ファイバコンポーネント１００は、この実施形態では１２心ＭＰＯ光ファイバアダプタ１４０である。２つの垂直部材１４２Ａ，１４２Ｂが光ファイバケーブル１３４の光ファイバ１３９の分布を保持するよう図１２に示されているように本体９０の内部チャンバ９４内に設けられている。垂直部材１４２Ａ，１４２Ｂ及びこれら相互間の距離は、光ファイバ１３９にこの実施形態では４０ｍｍ以下、好ましくは２５ｍｍ以下の曲げ半径Ｒを提供するよう設計されている。
【００３１】
図１３は、光ファイバモジュール２２の形状因子を更に示すために光ファイバコンポーネント２３が前側側部９６内に装入されていない状態の光ファイバモジュール２２の正面図である。上述したように、前側開口部１２６は、光ファイバコンポーネント２３を受け入れるよう本体９０の前側側部９６を貫通して設けられている。前側開口部１２６の幅Ｗ1が大きければ大きいほど、光ファイバモジュール２２内に設けることができる光ファイバコンポーネント２３の数がそれだけ一層多くなる。光ファイバコンポーネント２３の数を多くすることは、高い光ファイバ接続性及び帯域幅をサポートする光ファイバ接続部が多くなることと同じである。しかしながら、前側開口部１２６の幅Ｗ1が大きければ大きいほど、光ファイバモジュール２２のためにシャーシ１２に設けることが必要な領域がそれだけ一層広くなる。この実施形態では、前側開口部１２６の幅Ｗ1は、光ファイバモジュール２２の本体９０の前側側部９６の幅Ｗ2の少なくとも８５％であるよう設計されている。幅Ｗ1と幅Ｗ2の比が大きければ大きいほど、幅Ｗ2を増大させないで光ファイバコンポーネント２３を受け入れるために前側開口部１２６に設けられる領域がそれだけ一層広くなる。幅Ｗ3、即ち、光ファイバモジュール２２の全幅は、この実施形態では、８６．６ｍｍ又は３．５インチ（８８．９ｍｍ）であるのが良い。光ファイバモジュール２２の全深さＤ1は、この実施形態（図１２）では、１１３．９ｍｍ又は４．５インチ（１１４．３ｍｍ）である。上述したように、光ファイバモジュール２２は、４個の光ファイバモジュール２２をシャーシ１２内の光ファイバ機器トレー２０内の１‐Ｕ幅スペース内に配置することができる設計されている。シャーシ１２の幅は、この実施形態では、１‐Ｕスペース幅に対応するよう設計されている。
【００３２】
３つの光ファイバ機器トレー２０がシャーシ１２の１‐Ｕ高さ内に設けられている状態で、全部で１２個の光ファイバモジュール２２を所与の１‐Ｕスペース内に支持することができる。図１のシャーシ１２内に示すように光ファイバモジュール２２一個当たり最高１２個までの光ファイバ接続部を支持することは、シャーシ１２がシャーシ１２内の１‐Ｕスペース内に最高１４４個までの光ファイバ接続部又は７２個のデュプレックスチャネルを支持することに等しい（即ち、１‐Ｕスペース内における１２個の光ファイバ接続部×１２個の光ファイバモジュール２２）。シャーシ１２は、１２個のシンプレックス又は６個のデュプレックス光ファイバアダプタが光ファイバモジュール２２内に設けられることにより、１‐Ｕスペース内に最高１４４個までの光ファイバ接続部を支持することができる。光ファイバモジュール２２一個当たり最高１０個までの光ファイバ接続部を支持することは、シャーシ１２がシャーシ１２内の１‐Ｕスペース内に１２０個の光ファイバ接続部又は６０個のデュプレックスチャネルを支持することに等しい（即ち、１‐Ｕスペース内における１０個の光ファイバ接続部×１２個の光ファイバモジュール２２）。シャーシ１２は又、１０個のシンプレックス又は５個のデュプレックス光ファイバアダプタが光ファイバモジュール２２内に設けられることにより、１‐Ｕスペース内に最高１２０個までの光ファイバ接続部を支持することができる。
【００３３】
本明細書において開示するシャーシ１２及び光ファイバモジュール２２のこの実施形態は、１‐Ｕスペース内に所与の光ファイバ接続部密度をサポートすることができ、この場合、１‐Ｕスペース内の１２個の光ファイバモジュール２２内において光ファイバコンポーネント２３により占められる領域は、１‐Ｕスペース内の光ファイバ機器ラック１４の全領域の少なくとも５０％を表している（図１参照）。１２個の光ファイバモジュール２２がシャーシ１２内の１‐Ｕスペース内に設けられている場合、１‐Ｕスペースは、光ファイバモジュール２２の前側側部９６の領域の少なくとも７５％を占める光ファイバコンポーネント２３で構成されている。
【００３４】
１つの送信／受信ペアを提供するための２本のデュプレックス又は二重光ファイバは、ハーフデュプレックスモードで毎秒１０ギガビット又はフルデュプレックスモードにおいて毎秒２０ギガビットのデータ率に対応することができる。上述の実施形態では、少なくとも１つのデュプレックス又はシンプレックス光ファイバコンポーネントを採用した１‐Ｕスペース内の少なくとも７２個のデュプレックス送信及び受信ペアを提供することにより、１０ギガビットトランシーバを用いた場合、ハーフデュプレックスモードにおいて１‐Ｕスペースで毎秒少なくとも７２０ギガビット又はフルデュプレックスモードにおいて１‐Ｕスペースで毎秒少なくとも１４４０ギガビットのデータ率をサポートすることができる。この構成は又、１００ギガビットトランシーバを採用した場合、それぞれ、ハーフデュプレックスモードにおいて１‐Ｕスペースで毎秒少なくとも６００ギガビット及びフルデュプレックスモードにおいて１‐Ｕスペースで毎秒１２００ギガビットをサポートすることができる。この構成は又、４０ギガビットトランシーバを採用した場合、それぞれ、ハーフデュプレックスモードにおいて１‐Ｕスペースで毎秒少なくとも４８０ギガビット及びフルデュプレックスモードにおいて１‐Ｕスペースで毎秒９６０ギガビットをサポートすることができる。１‐Ｕスペース内における少なくとも６０個のデュプレックス送信及び受信ペアは、１０ギガビットトランシーバを採用した場合、ハーフデュプレックスモードにおいて１‐Ｕスペースで毎秒少なくとも６００ギガビット又はフルデュプレックスモードにおいて１‐Ｕスペースで毎秒少なくとも１２００ギガビットのデータ率に相当することができる。１‐Ｕスペース内における少なくとも４９個のデュプレックス送信及び受信ペアは、１０ギガビットトランシーバを採用した場合、ハーフデュプレックスモードにおいて１‐Ｕスペースで毎秒少なくとも４８１ギガビット又はフルデュプレックスモードにおいて１‐Ｕスペースで毎秒少なくとも９６２ギガビットのデータ率に相当することができる。
【００３５】
前側開口部１２６の幅Ｗ1は、光ファイバモジュール２２の本体９０の前側側部９６の幅Ｗ2の８５％以上であるように設計されるのが良い。例えば、幅Ｗ1は、幅Ｗ2の９０％〜９９％であるよう設計されるのが良い。一例を挙げると、幅Ｗ1は、９０ｍｍ未満であるのが良い。別の例を挙げると、幅Ｗ1は、８５ｍｍ未満又は８０ｍｍ未満であるのが良い。例えば、幅Ｗ1と幅Ｗ2の比が９７．６％の場合、幅Ｗ1は、８３ｍｍであり、幅Ｗ2は、８５ｍｍであるのが良い。この例では、前側開口部１２６は、前側開口部１２６の幅Ｗ1の７．０ｍｍ当たり少なくとも１個の光ファイバ接続部という光ファイバ接続部密度をサポートするよう幅Ｗ1内に１２個の光ファイバ接続部を支持することができる。さらに、光ファイバモジュール２２の前側開口部１２６は、前側開口部１２６の幅Ｗ1の６．９ｍｍ当たり少なくとも１個の光ファイバ接続部という光ファイバ接続部密度をサポートするよう幅Ｗ1内に１２個の光ファイバ接続部を支持することができる。
【００３６】
さらに、図１３に示されているように、前側開口部１２６の高さＨ1は、光ファイバモジュール２２の本体９０の前側側部９６の高さＨ2の少なくとも９０％であるように設計されるのが良い。このようにすると、前側開口部１２６は、光ファイバコンポーネント２３を受け入れ、しかも、３個の光ファイバモジュール２２を１‐Ｕスペースの高さ内に納めることができるのに十分な高さを有する。一例を挙げると、高さＨ1は、１２ｍｍ以下又は１０ｍｍ以下であるのが良い。一例を挙げると、高さＨ1と高さＨ2の比が９０．９％の場合、高さＨ1は、１０ｍｍであり、高さＨ2は、１１ｍｍ（即ち、７／１１インチ）であるのが良い。
【００３７】
別の光ファイバ接続部密度を備えた変形例としての光ファイバモジュールの採用が可能である。図１４は、図１の光ファイバ機器トレー２０内に収納することができる変形例としての光ファイバモジュール２２′の正面斜視図である。光ファイバモジュール２２′の形状因子は、図１〜図１３に示された光ファイバモジュール２２の形状因子と同一である。しかしながら、図１４の光ファイバモジュール２２′では、２個のＭＰＯ光ファイバアダプタ１５０が光ファイバモジュール２２′の前側開口部１２６を貫通して設けられている。ＭＰＯ光ファイバアダプタ１５０は、光ファイバモジュール２２′の本体９０の後側側部９８内に設けられた２つのＭＰＯ光ファイバアダプタ１５２に接続されている。ＭＰＯ光ファイバアダプタ１５０が各々１２本の光ファイバを支持する場合、光ファイバモジュール２２′は、最高２４個までの光ファイバ接続部を支持することができる。この例では、最高１２個までの光ファイバモジュール２２′がシャーシ１２の光ファイバ機器トレー２０内に設けられる場合、１‐Ｕスペース内にシャーシ１２により最高２８８個までの光ファイバ接続部を支持することができる。さらにこの例では、光ファイバモジュール２２′の前側開口部１２６は、前側開口部１２６の幅Ｗ1の３．４〜３．５ｍｍ当たり少なくとも１個の光ファイバ接続部という光ファイバ接続部密度をサポートするよう幅Ｗ1（図１３）内に２４個の光ファイバ接続部を支持することができる。理解されるべきこととして、モジュールに関する上述の説明は、パネルにも当てはまる。この開示の目的上、パネルは、一方の側部に１つ又は２つ以上のアダプタを有するのが良いが、反対側にはアダプタは設けられない。
【００３８】
上述の実施形態では、少なくとも１２心ＭＰＯ光ファイバコンポーネントを用いて１‐Ｕスペース内に少なくとも２８８個のデュプレックス送信及び受信ペアを設けることにより、１０ギガビットトランシーバを用いた場合、ハーフデュプレックスモードにおいて１‐Ｕスペースで毎秒少なくとも２８８０ギガビット又はフルデュプレックスモードにおいて１‐Ｕスペースで毎秒少なくとも５７６０ギガビットのデータ率をサポートすることができる。この構成は又、１００ギガビットトランシーバを採用した場合、それぞれ、ハーフデュプレックスモードにおいて１‐Ｕスペースで毎秒少なくとも４８００ギガビット及びフルデュプレックスモードにおいて１‐Ｕスペースで毎秒９６００ギガビットをサポートすることができる。この構成は又、４０ギガビットトランシーバを採用した場合、それぞれ、ハーフデュプレックスモードにおいて１‐Ｕスペースで毎秒少なくとも１９２０ギガビット及びフルデュプレックスモードにおいて１‐Ｕスペースで毎秒３８４０ギガビットをサポートすることができる。この構成は又、少なくとも１つの１２心ＭＰＯ光ファイバコンポーネントを用いる１０ギガビットトランシーバを採用した場合、フルデュプレックスモードにおいて１‐Ｕスペースで毎秒少なくとも４３２２ギガビット又は少なくとも１つの２４心ＭＰＯ光ファイバコンポーネントを用いる１０ギガビットトランシーバを採用した場合、フルデュプレックスモードにおいて１‐Ｕスペースで毎秒少なくとも２１６１ギガビットをサポートすることができる。
【００３９】
光ファイバモジュール２２′内のＭＰＯ光ファイバアダプタ１５０が２４本の光ファイバを支持する場合、光ファイバモジュール２２′は、最高４８個までの光ファイバ接続部を支持することができる。この例では、最高１２個までの光ファイバモジュール２２′がシャーシ１２の光ファイバ機器トレー２０内に設けられる場合、１‐Ｕスペース内にシャーシ１２により最高５７６個までの光ファイバ接続部を支持することができる。さらにこの例では、光ファイバモジュール２２′の前側開口部１２６は、前側開口部１２６の幅Ｗ1の１．７ｍｍ当たり少なくとも１個の光ファイバ接続部という光ファイバ接続部密度をサポートするよう幅Ｗ1内に４８個の光ファイバ接続部を支持することができる。
【００４０】
図１５は、図１の光ファイバ機器トレー２０内に収納できる別の変形例としての光ファイバモジュール２２″の正面斜視図である。光ファイバモジュール２２″の形状因子は、図１〜図１３に示された光ファイバモジュール２２の形状因子と同一である。しかしながら、光ファイバモジュール２２″では、４個のＭＰＯ光ファイバアダプタ１５４が光ファイバモジュール２２″の前側開口部１２６を貫通して設けられている。ＭＰＯ光ファイバアダプタ１５４は、光ファイバモジュール２２′の本体９０の後側側部９８内に設けられた４つのＭＰＯ光ファイバアダプタ１５６に接続されている。ＭＰＯ光ファイバアダプタ１５０が１２本の光ファイバを支持する場合、光ファイバモジュール２２″は、最高４８個までの光ファイバ接続部を支持することができる。この例では、最高１２個までの光ファイバモジュール２２″がシャーシ１２の光ファイバ機器トレー２０内に設けられる場合、１‐Ｕスペース内にシャーシ１２により最高７５６個までの光ファイバ接続部を支持することができる。さらにこの例では、光ファイバモジュール２２″の前側開口部１２６は、前側開口部１２６の幅Ｗ1の１．７ｍｍ当たり少なくとも１個の光ファイバ接続部という光ファイバ接続部密度をサポートするよう幅Ｗ1内に２４個の光ファイバ接続部を支持することができる。
【００４１】
さらに、光ファイバモジュール２２″内に設けられたＭＰＯ光ファイバアダプタ１５０が２４本の光ファイバを支持する場合、光ファイバモジュール２２″は、最高９６個までの光ファイバ接続部を支持することができる。この例では、最高１２個までの光ファイバモジュール２２″がシャーシ１２の光ファイバ機器トレー２０内に設けられる場合、１‐Ｕスペース内にシャーシ１２により最高１１５２個までの光ファイバ接続部を支持することができる。さらにこの例では、光ファイバモジュール２２″の前側開口部１２６は、前側開口部１２６の幅Ｗ1の０．８５ｍｍ当たり少なくとも１個の光ファイバ接続部という光ファイバ接続部密度をサポートするよう幅Ｗ1内に最高９６個までの光ファイバ接続部を支持することができる。
【００４２】
さらに、上述の実施形態では、少なくとも２４心ＭＰＯ光ファイバコンポーネントを用いて１‐Ｕスペース内に少なくとも５７６個のデュプレックス送信及び受信ペアを設けることにより、１０ギガビットトランシーバを用いた場合、ハーフデュプレックスモードにおいて１‐Ｕスペースで毎秒少なくとも５７６０ギガビット又はフルデュプレックスモードにおいて１‐Ｕスペースで毎秒少なくとも１１５２０ギガビットのデータ率をサポートすることができる。この構成は又、１００ギガビットトランシーバを採用した場合、それぞれ、ハーフデュプレックスモードにおいて１‐Ｕスペースで毎秒少なくとも４８００ギガビット及びフルデュプレックスモードにおいて１‐Ｕスペースで毎秒９６００ギガビットをサポートすることができる。この構成は又、４０ギガビットトランシーバを採用した場合、それぞれ、ハーフデュプレックスモードにおいて１‐Ｕスペースで毎秒少なくとも３８４０ギガビット及びフルデュプレックスモードにおいて１‐Ｕスペースで毎秒７６８０ギガビットをサポートすることができる。この構成は又、少なくとも１つの２４心ＭＰＯ光ファイバコンポーネントを用いる１０ギガビットトランシーバを採用した場合、フルデュプレックスモードにおいて１‐Ｕスペースで毎秒少なくとも８６４２ギガビット又は少なくとも１つの２４心ＭＰＯ光ファイバコンポーネントを用いる１０ギガビットトランシーバを採用した場合、フルデュプレックスモードにおいて１‐Ｕスペースで毎秒少なくとも４３２１ギガビットをサポートすることができる。
【００４３】
図１６は、光ファイバ接続部を支持すると共に接続部密度及び帯域幅をサポートするよう光ファイバ機器トレー２０内に設けることができる変形例としての光ファイバモジュール１６０を示している。図１７は、図１６の光ファイバモジュール１６０の右側正面斜視図である。この実施形態では、光ファイバモジュール１６０は、２つの組をなすモジュールレールガイド３２にわたって嵌まるよう設計されている。チャネル１６２が光ファイバ機器トレー２０内のモジュールレールガイド３２を受け入れるよう光ファイバモジュール１６０の中心軸線１６４を通って設けられている。図１〜図１３の光ファイバモジュール２２のモジュールレール２８Ａ，２８Ｂとほぼ同じモジュールレール１６５Ａ，１６５Ｂが光ファイバモジュール１６０のチャネル１６２の内側に設けられており、これらモジュールレールは、光ファイバ機器トレー２０に設けられているトレーチャネル３０と嵌合するよう構成されている。図１〜図１３の光ファイバモジュール２２のモジュールレール２８Ａ，２８Ｂとほぼ同じモジュールレール１６６Ａ，１６６Ｂが光ファイバモジュール１６０の各側部１６８，１７０に設けられており、これらモジュールレールは、光ファイバ機器トレー２０内のトレーチャネル３０と嵌合するよう構成されている。モジュールレール１６６Ａ，１６６Ｂは、光ファイバモジュール１６０の側部１６８，１７０に設けられているモジュールレールガイド３２と係合するモジュールレールガイド３２相互間に設けられたモジュールレールガイド３２のトレーチャネル３０と嵌合するよう構成されている。
【００４４】
最高２４個までの光ファイバコンポーネント２３を光ファイバモジュール１６０の前側側部１７２内に設けることができる。この実施形態では、光ファイバコンポーネント２３は、最高１２個までのデュプレックスＬＣ光ファイバアダプタで構成され、これらデュプレックスＬＣ光ファイバアダプタは、光ファイバモジュール１６０の後側端部１７６内に設けられた１つの２４心ＭＰＯ光ファイバコネクタ１７４に接続されている。３つの光ファイバトレー２０がシャーシ１２の高さ内に設けられている場合、全部で６個の光ファイバモジュール１６０を所与の１‐Ｕスペース内に支持することができる。光ファイバモジュール１６０一個当たり最高２４個までの光ファイバ接続部を支持することは、シャーシ１２がシャーシ１２内の１‐Ｕスペース内に最高１４４個までの光ファイバ接続部又は７２個のデュプレックスチャネルを支持することに等しい（即ち、１‐Ｕスペース内における２４個の光ファイバ接続部×６個の光ファイバモジュール１６０）。シャーシ１２は、２４個のシンプレックス又は１２個のデュプレックス光ファイバアダプタが光ファイバモジュール１６０内に設けられることにより、１‐Ｕスペース内に最高１４４個までの光ファイバ接続部を支持することができる。光ファイバモジュール１６０一個当たり最高２０個までの光ファイバ接続部を支持することは、シャーシ１２がシャーシ１２内の１‐Ｕスペース内に１２０個の光ファイバ接続部又は６０個のデュプレックスチャネルを支持することに等しい（即ち、１‐Ｕスペース内における２０個の光ファイバ接続部×６個の光ファイバモジュール１６０）。シャーシ１２は又、２０個のシンプレックス又は１０個のデュプレックス光ファイバアダプタが光ファイバモジュール１６０内に設けられることにより、１‐Ｕスペース内に最高１２０個までの光ファイバ接続部を支持することができる。
【００４５】
図１８は、この実施形態における光ファイバモジュール１６０の形状因子を更に示すために光ファイバコンポーネント２３が前側側部１７２内に装入されていない状態の図１６及び図１７の光ファイバモジュール１６０の正面図である。チャネル１６２の各側に設けられた前側開口部１７８Ａ，１７８Ｂが光ファイバコンポーネント２３を受け入れるよう光ファイバモジュール１６０の本体１８０の前側側部１７２を貫通して設けられている。幅Ｗ1，Ｗ2及び高さＨ1，Ｈ2は、図１３に示された光ファイバモジュール２２の場合と同一である。この実施形態では、前側開口部１７８Ａ，１７８Ｂの幅Ｗ1は、光ファイバモジュール１６０の本体１８０の前側側部１７２の幅Ｗ2の少なくとも８５％であるように設計されている。幅Ｗ2に対する幅Ｗ1の割合が高ければ高いほど、幅Ｗ2を増大させないで光ファイバコンポーネント２３を受け入れるよう前側開口部１７８Ａ，１７８Ｂに設けられる領域はそれだけ一層広くなる。
【００４６】
前側開口部１７８Ａ，１７８Ｂの各々の幅Ｗ1は、光ファイバモジュール１６０の本体１８０の前側側部１７２の幅Ｗ2の８５％以上であるよう設計されている。例えば、幅Ｗ1は、幅Ｗ2の９０％〜９９％であるよう設計されるのが良い。一例を挙げると、幅Ｗ1は、９０ｍｍ未満であるのが良い。別の例を挙げると、幅Ｗ1は、８５ｍｍ未満又は８０ｍｍ未満であるのが良い。例えば、幅Ｗ1と幅Ｗ2の比が９７．６％の場合、幅Ｗ1は、８３ｍｍであり、幅Ｗ2は、８５ｍｍであるのが良い。この例では、前側開口部１７８Ａ，１７８Ｂは、前側開口部１７８Ａ，１７８Ｂの幅Ｗ1の７．０ｍｍ当たり少なくとも１個の光ファイバ接続部という光ファイバ接続部密度をサポートするよう幅Ｗ1内に１２個の光ファイバ接続部を支持することができる。さらに、前側開口部１７８Ａ，１７８Ｂは、前側開口部１７８Ａ，１７８Ｂの幅Ｗ1の６．９ｍｍ当たり少なくとも１個の光ファイバ接続部という光ファイバ接続部密度をサポートするよう幅Ｗ1内に１２個の光ファイバ接続部を支持することができる。
【００４７】
さらに図１８に示されているように、前側開口部１７８Ａ，１７８Ｂの高さＨ1は、光ファイバモジュール１６０の本体１８０の前側側部１７２の高さＨ2の少なくとも９０％であるように設計されるのが良い。このようにすると、前側開口部１７８Ａ，１７８Ｂは、光ファイバコンポーネント２３を受け入れるのに十分な高さを有し、他方、３個の光ファイバモジュール１６０を１‐Ｕスペースの高さ内に納めることができる。一例を挙げると、高さＨ1は、１２ｍｍ以下又は１０ｍｍ以下であるのが良い。一例を挙げると、高さＨ1と高さＨ2の比が９０．９％の場合、高さＨ1は、１０ｍｍであり、高さＨ2は、１１ｍｍであるのが良い。
【００４８】
図１９は、光ファイバ接続部を支持すると共に接続部密度及び帯域幅をサポートするよう光ファイバ機器トレー２０内に設けることができる別の変形例としての光ファイバモジュール１９０を示している。図２０は、図１９の光ファイバモジュール１９０の右側正面斜視図である。この実施形態では、光ファイバモジュール１９０は、２つの組をなすモジュールレールガイド３２にわたって嵌まるよう設計されている。長手方向レシーバ１９２が中心軸線１９４を通って設けられ、この長手方向レシーバ１９２は、光ファイバ機器トレー２０内のモジュールレールガイド３２をレシーバ１９２に設けられた開口部１９３を通って受け入れるよう構成されている。図１〜図１３の光ファイバモジュール２２のモジュールレール２８Ａ，２８Ｂとほぼ同じモジュールレール１９５Ａ，１９５Ｂが光ファイバモジュール１９０の各側部１９８，２００に設けられており、これらモジュールレールは、光ファイバ機器トレー２０に設けられているトレーチャネル３０と嵌合するよう構成されている。
【００４９】
最高２４個までの光ファイバコンポーネント２３を光ファイバモジュール１９０の前側側部２０２内に設けることができる。この実施形態では、光ファイバコンポーネント２３は、最高１２個までのデュプレックスＬＣ光ファイバアダプタで構成され、これらデュプレックスＬＣ光ファイバアダプタは、光ファイバモジュール１９０の後側端部２０６内に設けられた１つの２４心ＭＰＯ光ファイバコネクタ２０４に接続されている。３つの光ファイバトレー２０がシャーシ１２の高さ内に設けられている場合、全部で６個の光ファイバモジュール１９０を所与の１‐Ｕスペース内に支持することができる。光ファイバモジュール１９０一個当たり最高２４個までの光ファイバ接続部を支持することは、シャーシ１２がシャーシ１２内の１‐Ｕスペース内に最高１４４個までの光ファイバ接続部又は７２個のデュプレックスチャネルを支持することに等しい（即ち、１‐Ｕスペース内における２４個の光ファイバ接続部×６個の光ファイバモジュール１９０）。シャーシ１２は、２４個のシンプレックス又は１２個のデュプレックス光ファイバアダプタが光ファイバモジュール１９０内に設けられることにより、１‐Ｕスペース内に最高１４４個までの光ファイバ接続部を支持することができる。光ファイバモジュール１９０一個当たり最高２０個までの光ファイバ接続部を支持することは、シャーシ１２がシャーシ１２内の１‐Ｕスペース内に１２０個の光ファイバ接続部又は６０個のデュプレックスチャネルを支持することに等しい（即ち、１‐Ｕスペース内における２０個の光ファイバ接続部×６個の光ファイバモジュール１９０）。シャーシ１２は又、２０個のシンプレックス又は１０個のデュプレックス光ファイバアダプタが光ファイバモジュール１９０内に設けられることにより、１‐Ｕスペース内に最高１２０個までの光ファイバ接続部を支持することができる。
【００５０】
図２１は、光ファイバモジュール１９０の形状因子を更に示すために光ファイバコンポーネント２３が前側側部２０２内に装入されていない状態の図１９及び図２０の光ファイバモジュール１９０の正面図である。前側開口部２０８Ａ，２０８Ｂが光ファイバコンポーネント２３を受け入れるようレシーバ１９２の各側に且つ光ファイバモジュール１９０の本体２１０の前側側部２０２を貫通して設けられている。幅Ｗ1，Ｗ2及び高さＨ1，Ｈ2は、図１３に示された光ファイバモジュール２２の場合と同一である。この実施形態では、前側開口部２０８Ａ，２０８Ｂの幅Ｗ1は、光ファイバモジュール１９０の本体２１０の前側側部２０２の幅Ｗ2の少なくとも８５％であるように設計されている。幅Ｗ2に対する幅Ｗ1の割合が高ければ高いほど、幅Ｗ2を増大させないで光ファイバコンポーネント２３を受け入れるよう前側開口部２０８Ａ，２０８Ｂに設けられる領域はそれだけ一層広くなる。
【００５１】
前側開口部２０８Ａ，２０８Ｂの各々の幅Ｗ1は、光ファイバモジュール１９０の本体２１０の前側側部２０２の幅Ｗ2の８５％以上であるよう設計されている。例えば、幅Ｗ1は、幅Ｗ2の９０％〜９９％であるよう設計されるのが良い。一例を挙げると、幅Ｗ1は、９０ｍｍ未満であるのが良い。別の例を挙げると、幅Ｗ1は、８５ｍｍ未満又は８０ｍｍ未満であるのが良い。例えば、幅Ｗ1と幅Ｗ2の比が９７．６％の場合、幅Ｗ1は、８３ｍｍであり、幅Ｗ2は、８５ｍｍであるのが良い。この例では、前側開口部２０８Ａ，２０８Ｂは、前側開口部２０８Ａ，２０８Ｂの幅Ｗ1の７．０ｍｍ当たり少なくとも１個の光ファイバ接続部という光ファイバ接続部密度をサポートするよう幅Ｗ1内に１２個の光ファイバ接続部を支持することができる。さらに、前側開口部２０８Ａ，２０８Ｂは、前側開口部２０８Ａ，２０８Ｂの幅Ｗ1の６．９ｍｍ当たり少なくとも１個の光ファイバ接続部という光ファイバ接続部密度をサポートするよう幅Ｗ1内に１２個の光ファイバ接続部を支持することができる。
【００５２】
さらに図２１に示されているように、前側開口部２０８Ａ，２０８Ｂの高さＨ1は、光ファイバモジュール１９０の本体２１０の前側側部２０２の高さＨ2の少なくとも９０％であるように設計されるのが良い。このようにすると、前側開口部２０８Ａ，２０８Ｂは、光ファイバコンポーネント２３を受け入れ、しかも、３個の光ファイバモジュール１９０を１‐Ｕスペース高さ内に納めることができるのに十分な高さを有する。一例を挙げると、高さＨ1は、１２ｍｍ以下又は１０ｍｍ以下であるのが良い。一例を挙げると、高さＨ1と高さＨ2の比が９０．９％の場合、高さＨ1は、１０ｍｍであり、高さＨ2は、１１ｍｍであるのが良い。
【００５３】
図２２は、１‐Ｕスペース内に、より多くの数の光ファイバ接続部を支持すると共に高い接続部密度及び帯域幅をサポートするよう光ファイバ機器トレー２０′内に設けることができる別の変形例としての光ファイバモジュール２２０を示している。この実施形態の光ファイバ機器トレー２０′は、上述した光ファイバ機器トレー２０とほぼ同じであるが、光ファイバ機器トレー２０′は、５つのモジュールレールガイド３２ではなく、モジュールレールガイド３２を３つしか備えていない。光ファイバ機器トレー２０′は、１‐Ｕ幅スペースにわたり２つの光ファイバモジュール２２０しか支持しない。光ファイバモジュール２２０は、光ファイバ機器トレー２０′内に配置されるべき光ファイバモジュール１６０，１９０のそれぞれのチャネル１６２又はレシーバ１９２を提供する必要がない。図２３は、図２２の光ファイバモジュール２２０の右側正面斜視図である。光ファイバモジュール２２０は、光ファイバ機器トレー２０′内の１組のモジュールレールガイド３２にわたって嵌まるよう設計されている。図１〜図１３の光ファイバモジュール２２のモジュールレール２８Ａ，２８Ｂとほぼ同じモジュール２２５Ａ，２２５Ｂは、光ファイバモジュール２２０の各側部２２８，２３０に設けられており、これらモジュールレールは、図２２に示されているように光ファイバ機器トレー２０′内のトレーチャネル３０と嵌合するよう構成されている。
【００５４】
最高２４個までの光ファイバコンポーネント２３を光ファイバモジュール２２０の前側側部２３２内に設けることができる。この実施形態では、光ファイバコンポーネント２３は、最高１２個までのデュプレックスＬＣ光ファイバアダプタで構成され、これらデュプレックスＬＣ光ファイバアダプタは、光ファイバモジュール２２０の後側端部２３６内に設けられた１つの２４心ＭＰＯ光ファイバコネクタ２３４に接続されている。３つの光ファイバトレー２０がシャーシ１２の高さ内に設けられている場合、全部で６個の光ファイバモジュール２２０を所与の１‐Ｕスペース内に支持することができる。光ファイバモジュール２２０一個当たり最高２４個までの光ファイバ接続部を支持することは、シャーシ１２がシャーシ１２内の１‐Ｕスペース内に最高１４４個までの光ファイバ接続部又は７２個のデュプレックスチャネルを支持することに等しい（即ち、１‐Ｕスペース内における２４個の光ファイバ接続部×６個の光ファイバモジュール２２０）。シャーシ１２は、２４個のシンプレックス又は１２個のデュプレックス光ファイバアダプタが光ファイバモジュール２２０内に設けられることにより、１‐Ｕスペース内に最高１４４個までの光ファイバ接続部を支持することができる。光ファイバモジュール２２０一個当たり最高２０個までの光ファイバ接続部を支持することは、シャーシ１２がシャーシ１２内の１‐Ｕスペース内に１２０個の光ファイバ接続部又は６０個のデュプレックスチャネルを支持することに等しい（即ち、１‐Ｕスペース内における２０個の光ファイバ接続部×６個の光ファイバモジュール２２０）。シャーシ１２は又、２０個のシンプレックス又は１０個のデュプレックス光ファイバアダプタが光ファイバモジュール２２０内に設けられることにより、１‐Ｕスペース内に最高１２０個までの光ファイバ接続部を支持することができる。
【００５５】
図２４は、この実施形態における光ファイバモジュール２２０の形状因子を更に示すために光ファイバコンポーネント２３が前側側部２３２内に装入されていない状態の図２２及び図２３の光ファイバモジュール２２０の正面図である。前側開口部２３８が光ファイバコンポーネント２３を受け入れるよう光ファイバモジュール２２０の本体２４０の前側側部２３２を貫通して設けられている。前側開口部２３８の幅Ｗ4は、図１３に示されている光ファイバモジュール２２の前側開口部９８の幅Ｗ1の２倍である。前側側部２３２の幅Ｗ5は、１８８ｍｍであり、これは、図１３に示されている光ファイバモジュール２２の前側側部９６の幅Ｗ3の約２倍よりも僅かに大きい。高さＨ1，Ｈ2は、図１３に示されている光ファイバモジュール２２の場合と同一である。この実施形態では、前側開口部２３８の幅Ｗ4は、光ファイバモジュール２２０の本体２４０の前側側部２３２の幅Ｗ5の少なくとも８５％であるように設計されている。幅Ｗ5に対する幅Ｗ4の割合が高ければ高いほど、幅Ｗ4を増大させないで光ファイバコンポーネント２３を受け入れるよう前側開口部２３８に設けられる領域はそれだけ一層広くなる。
【００５６】
前側開口部２３８の各々の幅Ｗ4は、光ファイバモジュール２２０の本体２４０の前側側部２３２の幅Ｗ5の８５％以上であるよう設計されている。例えば、幅Ｗ4は、幅Ｗ5の９０％〜９９％であるよう設計されるのが良い。一例を挙げると、幅Ｗ4は、１８０ｍｍ未満であるのが良い。別の例を挙げると、幅Ｗ4は、１７０ｍｍ未満又は１６０ｍｍ未満であるのが良い。例えば、幅Ｗ4と幅Ｗ5の比が１６６  ２１７１＝９７％の場合、幅Ｗ4は、１６６ｍｍであり、幅Ｗ5は、１７１ｍｍであるのが良い。この例では、前側開口部２３８は、前側開口部２３８の幅Ｗ4の７．０ｍｍ当たり少なくとも１個の光ファイバ接続部という光ファイバ接続部密度をサポートするよう幅Ｗ4内に２４個の光ファイバ接続部を支持することができる。さらに、前側開口部２３８は、前側開口部２３８の幅Ｗ4の６．９ｍｍ当たり少なくとも１個の光ファイバ接続部という光ファイバ接続部密度をサポートするよう幅Ｗ4内に２４個の光ファイバ接続部を支持することができる。
【００５７】
さらに図２４に示されているように、前側開口部２３８の高さＨ1は、光ファイバモジュール２２０の本体２４０の前側側部２３２の高さＨ2の少なくとも９０％であるように設計されるのが良い。このようにすると、前側開口部２３８は、光ファイバコンポーネント２３を受け入れるのに十分な高さを有し、他方、３個の光ファイバモジュール２２０を１‐Ｕスペースの高さ内に納めることができる。一例を挙げると、高さＨ1は、１２ｍｍ以下又は１０ｍｍ以下であるのが良い。一例を挙げると、高さＨ1と高さＨ2の比が９０．９％の場合、高さＨ1は、１０ｍｍであり、高さＨ2は、１１ｍｍであるのが良い。
【００５８】
図２５は、上述すると共に光ファイバモジュールを支持するよう示された光ファイバ機器トレーを有するのが良い別の実施形態としての光ファイバ機器２６０を示している。光ファイバ機器２６０は、この実施形態では、各々が１つ又は２つ以上の光ファイバモジュールを支持している光ファイバ機器トレーを保持するよう構成された４‐Ｕサイズのシャーシ２６２を有する。支持されている状態の光ファイバ機器トレーは、上述の光ファイバ機器トレー２０，２０′のどちらであっても良く、ここではこれについて再び説明しない。支持状態の光ファイバモジュールは、上述の光ファイバモジュール２２，２２′，２２″，１６０，１９０，２２０のいずれであっても良く、これについてはここでは再び説明しない。この例では、シャーシ２６２は、各々が光ファイバモジュール２２を支持することができる１２個の光ファイバ機器トレー２０を支持した状態で示されている。
【００５９】
上述のトレーガイド５８は、シャーシ２６２内に光ファイバ機器トレー２０のトレーレール５６を支持すると共に各光ファイバ機器トレー２０を別個独立にシャーシ２６２から伸長させたりこの中に引っ込めたりすることができるようにするようシャーシ２６２内で用いられている。前側ドア２６４がシャーシ２６２に取り付けられており、この前側ドアは、シャーシ２６２内に納められた光ファイバ機器トレー２０を固定するようシャーシ２６２周りで閉じるよう構成されている。また、カバー２６６が光ファイバ機器トレー２０を固定するようシャーシ２６２に取り付けられている。しかしながら、シャーシ２６２内には、最高１２個までの光ファイバ機器トレー２０を設けることができる。しかしながら、光ファイバ接続部密度及び接続帯域幅は、１‐Ｕスペース当たり依然として同一である。光ファイバ接続部密度及び接続帯域幅能力については上述してあり、これらは、図２５のシャーシ４２６２に同様に適用でき、これらについてはここでは再び説明しない。
【００６０】
以上要約すると、以下の表は、上述の光ファイバモジュール、光ファイバ機器トレー及びシャーシの種々の実施形態を採用した１‐Ｕ及び４‐Ｕスペース内で提供可能な光ファイバ接続部密度及び帯域幅の幾つかをまとめて記載している。例えば、１つの送信／受信ペアについて二重化された２本の光ファイバは、ハーフデュプレックスモードにおいて毎秒１０ギガビット又はフルデュプレックスモードにおいて毎秒２０ギガビットのデータ率に対応することができる。別の例を挙げると、４つの送信／受信ペアについて二重化された１２心ＭＰＯ光ファイバコネクタ内の８本の光ファイバは、ハーフデュプレックスモードにおいて毎秒４０ギガビット又はフルデュプレックスモードにおいて毎秒８０ギガビットのデータ率に対応することができる。別の例を挙げると、１０個の送信／受信ペアについて２４心ＭＰＯ光ファイバコネクタ内の２０本の光ファイバは、ハーフデュプレックスモードにおいて毎秒１００ギガビット又はフルデュプレックスモードにおいて毎秒２００ギガビットのデータ率に対応することができる。この表は、例示であり、本明細書において開示した実施形態は、以下に提供される光ファイバ接続部密度及び帯域幅には限定されないことに留意されたい。
【００６１】
【表１】
2012530943.tif 000003
【００６２】
（表続き）
2012530943.tif 000004
【００６３】
高い光ファイバ接続部密度を提供する高密度光ファイバモジュールに加えて、光ファイバケーブル実装密度も又実現可能である。図２６は、高い光ファイバケーブル実装密度を提供する１‐Ｕ光ファイバケーブル引き回し領域３００を示している。図２６に示された実施形態では１‐Ｕ光ファイバケーブル引き回し領域３００がＬＣデュプレックスアダプタを備えたモジュールを支持している光ファイバ機器トレーを有する１‐Ｕシャーシの前に位置した状態で示されているが、理解されるべきこととして、１‐Ｕ光ファイバケーブル引き回し領域３００の説明は、モジュール内に納められているにせよそうでないにせよいずれにせよ、任意形式のアダプタ及び任意サイズ又は形式のモジュールを備えた任意のＵサイズの光ファイバ機器を有する実施形態に当てはまる。多Ｕサイズの光ファイバ機器は、同等の数の１‐Ｕ光ファイバケーブル引き回し領域３００を有するであろう。
【００６４】
１‐Ｕ光ファイバケーブル引き回し領域３００は、幅寸法、高さ寸法及び深さ寸法で定められる。この実施形態において“Ｘ”として図２６に示された幅寸法は、約１６．１７インチ（４１．０７ｃｍ）であるのが良い。“Ｙ”として図２６に示された高さ寸法は、約１．４５インチ（３．６８ｃｍ）であるのが良い。さらに、“Ｚ”として図２６に示された深さ寸法は、約３．３８インチ（８．５９ｃｍ）であるのが良い。１‐Ｕ光ファイバケーブル引き回し領域３００は、全体として中心が１‐Ｕシャーシの前に位置した状態で配置されており、この１‐Ｕ光ファイバケーブル引き回し領域は、以下のように計算された容積を有するのが良い。
【００６５】
〔数１〕
１６．１７インチ×１．４５インチ×３．３８インチ＝７９．２５立方インチ（１２９８．６７ｃｍ3）
【００６６】
１‐Ｕ光ファイバケーブル引き回し領域３００内の光ファイバケーブル３１０は、この１‐Ｕスペース内に配置された光ファイバ機器に設けられているコネクタに接続された１本又は２本以上の光ファイバケーブル及び他の光ファイバ機器への接続のためにこの１‐Ｕスペースを通過した光ファイバケーブルを含むのが良い。それにもかかわらず、このような光ファイバケーブル３００の全ては、１‐Ｕ光ファイバケーブル引き回し領域３００内で全体として水平の方向に引き回されるのが良い。これにより、この１‐Ｕスペース内に配置された光ファイバ機器に設けられているコネクタに接続されている光ファイバケーブル３１０は、１‐Ｕ光ファイバケーブル引き回し領域３００から出る前に１つの曲げを作ることができる。光ファイバケーブル３１０が１‐Ｕ光ファイバケーブル引き回し領域３００をいったん出ると、この光ファイバケーブルは、光ファイバ機器ラック１４に入ると共に／或いは出るよう上方か下方かのいずれかにおいて垂直の曲げを作る。このようにすると、光ファイバケーブル３１０は、光ファイバ機器ラック１４から出る前に２つ以下の曲げを作ることができる。曲げ不敏感性ファイバを用いることにより、ビット誤り率（ＢＥＲ）限度及び減衰量限度を超えることなく、より多くの光ファイバを１‐Ｕ光ファイバケーブル引き回し領域３００内に実装することができる。換言すると、１‐Ｕスペース内のコネクタに接続された光ファイバケーブル３１０が占める深さ寸法、即ち“Ｚ”寸法が小さいようにきつい曲げが許容可能である。ＴＩＡ／ＥＩＡ‐５６８規格によって定められているように、データ伝送にとって許容可能な最大ＢＥＲは、１０-12であり、許容可能な最大減衰量は、０．７５ｄＢである。以下におけるこの開示において、これらをそれぞれＢＥＲ限度及び減衰量限度と称する。
【００６７】
次に図２７を参照すると、１‐Ｕ光ファイバケーブル引き回し領域３００が１‐Ｕスペースの前から取り出された状態で示されている。光ファイバケーブル３１０から取り出された状態で概略的に示された光ファイバ３１２の代表的な例が１‐Ｕ光ファイバケーブル引き回し領域３００内で引き回されている状態で示されている。光ファイバ３１２は、１‐Ｕ光ファイバケーブル引き回し領域３００を垂直に切断した小刻みな断面３１４を通過している状態で示されている。光ファイバの１本又は２本以上が１‐Ｕ光ファイバケーブル引き回し領域３００の特定の１‐Ｕスペース内の光ファイバ機器に設けられた接続部に接続された１本又は２本以上の光ファイバケーブル３１０内に納められるのが良い。
【００６８】
接続部の少なくとも１つがＬＣシンプレックス又はデュプレックスコネクタタイプを用いる場合、少なくとも約９８本の光ファイバ３１２がＢＥＲ限度及び／又は減衰量限度を超えることなく、１‐Ｕ光ファイバケーブル引き回し領域３００の小刻みな断面３１４を通過することができる。換言すると、少なくとも９８本の光ファイバ３１２は、ＢＥＲ及び／又は減衰量限度を超えることなく、１‐Ｕ棚スペース毎に引き回し可能である。さらに、この場合、約９８本と約１４４本との間の本数の光ファイバ３１２がＢＥＲ及び／又は減衰量限度を超えることなく、１‐Ｕ光ファイバケーブル引き回し領域３００の小刻みな断面３１４を通過することができる。
【００６９】
接続部の少なくとも１つが１２心ＭＰＯタイプを用いる場合、少なくとも約４３４本の光ファイバ３１２がＢＥＲ限度及び／又は減衰量限度を超えることなく、１‐Ｕ光ファイバケーブル引き回し領域３００の小刻みな断面３１４を通過することができる。換言すると、少なくとも４３４本の光ファイバ３１２は、ＢＥＲ及び／又は減衰量限度を超えることなく、１‐Ｕ棚スペース毎に引き回し可能である。さらに、この場合、約４３４本と約５７６本との間の本数の光ファイバ３１２がＢＥＲ及び／又は減衰量限度を超えることなく、１‐Ｕ光ファイバケーブル引き回し領域３００の小刻みな断面３１４を通過することができる。
【００７０】
接続部の少なくとも１つが２４心ＭＰＯタイプを用いる場合、少なくとも約８６６本の光ファイバ３１２がＢＥＲ限度及び／又は減衰量限度を超えることなく、１‐Ｕ光ファイバケーブル引き回し領域３００の小刻みな断面３１４を通過することができる。換言すると、少なくとも８６６本の光ファイバ３１２は、ＢＥＲ及び／又は減衰量限度を超えることなく、１‐Ｕ棚スペース毎に引き回し可能である。さらに、この場合、約８６６本と約１１５２本との間の本数の光ファイバ３１２がＢＥＲ及び／又は減衰量限度を超えることなく、１‐Ｕ光ファイバケーブル引き回し領域３００の小刻みな断面３１４を通過することができる。
【００７１】
更に、コネクタタイプの如何にかかわらず、少なくとも約１１５２本の光ファイバ３１２がＢＥＲ限度及び／又は減衰量限度を超えることなく、１‐Ｕ光ファイバケーブル引き回し領域３００の小刻みな断面３１４を通過することができる。換言すると、少なくとも１１５２本の光ファイバ３１２は、ＢＥＲ及び／又は減衰量限度を超えることなく、１‐Ｕ棚スペース毎に引き回し可能である。
【００７２】
本明細書において用いられる「光ファイバケーブル」及び／又は「光ファイバ」という用語は、全ての形式のシングルモード及びマルチモード導波路を含み、このような導波路としては、アップコード付き、色分け、バッファ付き、リボン付きのものであるのが良く且つ／或いはケーブル内の他の組織化又は保護構造体、例えば１本又は２本以上の管、抗張力体、ジャケット等を有する１本又は２本以上の光ファイバが挙げられる。同様に、適当な光ファイバの他の形式としては、曲げ不敏感性光ファイバ又は光信号を伝送するための媒体の任意他の手段が挙げられる。曲げ不敏感性光ファイバの一例は、コーニング・インコーポレイテッド（Corning Incorporated）から市販されているClearCurve（登録商標）マルチモードファイバである。
【００７３】
したがって、実施形態は、開示した特定の実施形態には限定されず、改造例及び他の実施形態は、添付の特許請求の範囲に記載された本発明の範囲に含まれるものであることは理解されるべきである。特定の用語を本明細書において採用したが、特定の用語は、本発明を限定する目的ではなく、一般的且つ説明的な意味でのみ用いられている。
【図１】
2012530943.tif 000005
【図２】
2012530943.tif 000006
【図３】
2012530943.tif 000007
【図４】
2012530943.tif 000008
【図５】
2012530943.tif 000009
【図６】
2012530943.tif 000010
【図７】
2012530943.tif 000011
【図８】
2012530943.tif 000012
【図９Ａ】
2012530943.tif 000013
【図９Ｂ】
2012530943.tif 000014
【図１０Ａ】
2012530943.tif 000015
【図１０Ｂ】
2012530943.tif 000016
【図１１】
2012530943.tif 000017
【図１２】
2012530943.tif 000018
【図１３】
2012530943.tif 000019
【図１４】
2012530943.tif 000020
【図１５】
2012530943.tif 000021
【図１６】
2012530943.tif 000022
【図１７】
2012530943.tif 000023
【図１８】
2012530943.tif 000024
【図１９】
2012530943.tif 000025
【図２０】
2012530943.tif 000026
【図２１】
2012530943.tif 000027
【図２２】
2012530943.tif 000028
【図２３】
2012530943.tif 000029
【図２４】
2012530943.tif 000030
【図２５】
2012530943.tif 000031
【図２６】
2012530943.tif 000032
【図２７】
2012530943.tif 000033
【手続補正書】
【提出日】平成24年2月22日(2012.2.22)
【手続補正１】
【補正対象書類名】特許請求の範囲
【補正対象項目名】全文
【補正方法】変更
【補正の内容】
【特許請求の範囲】
【請求項１】
光ファイバ装置であって、
光ファイバ機器と、
前記光ファイバ機器に設けられた引き回し領域とを有し、前記引き回し領域は、１‐Ｕスペースの一部分を構成し、少なくとも９８本、少なくとも４３４本、少なくとも８６６本及び少なくとも１１５２本の１つの光ファイバが前記引き回し領域内で延びており、
最大１０-12ビット誤り率及び最大０．７５ｄＢ減衰量の少なくとも一方が前記光ファイバにより送られるデュプレックス光信号毎に維持される、
ことを特徴とする光ファイバ装置。
【請求項２】
対をなす前記光ファイバは、少なくとも２つのシンプレックス又は少なくとも１つのデュプレックス光ファイバコネクタで成端されている、
請求項１記載の光ファイバ装置。
【請求項３】
対をなす前記光ファイバは、多心コネクタで成端されている、
請求項１記載の光ファイバ装置。
【請求項４】
前記多心コネクタは、１２心ＭＰＯ光ファイバコネクタである、
請求項３記載の光ファバ装置。
【請求項５】
前記多心コネクタは、２４心ＭＰＯ光ファイバコネクタである、
請求項３記載の光ファイバ装置。
【請求項６】
前記１‐Ｕは、高さが約１．７５インチ（４．４４５ｃｍ）に等しい、
請求項１記載の光ファイバ装置。
【請求項７】
前記光ファイバは、曲げ不敏感性光ファイバである、
請求項１記載の光ファイバ装置。
【請求項８】
前記光ファイバ機器は、光ファイバ機器ラック内に設けられている、
請求項１記載の光ファイバ装置。
【請求項９】
前記光ファイバ機器は、モジュール及びパネルの少なくとも一方を含む、
請求項１記載の光ファイバ装置。
【請求項１０】
前記対をなす光ファイバは、前記光ファイバ機器に接続されており、前記引き回し領域は、前記引き回し領域内に最大１つの曲げを作ると共に前記引き回し領域内において全体として水平に延びるよう構成されている、
請求項１記載の光ファイバ装置。
【国際調査報告】
2012530943.tif 000034
2012530943.tif 000035